(57)【特許請求の範囲】
【請求項１】
各コプラナードア(2)のための、複合動作を備えた開閉機構(1)であって、
建具部品ユニットのフレームに固定された長手方向ガイド(3)と、
各ドアに対して、長手方向ガイド(3)に沿ってスライドする第一スライド(4)と、
第一スライド(4)の上方を横断するようにスライドすることによって、収納位置から取り出し位置へ、およびその逆に移動し、上記取り出し位置にあるとき、上記第一スライド(4)と共に長手方向ガイド(3)に沿って移動して、上記ドア(2)を移動させる第二スライド(5)と、
第二スライド(5)を収納位置に戻すように移動可能なリターン手段とを含み、
上記第二スライド(5)は、上記第一スライド(4)に組み込まれたピンを中心として上記第一スライド(4)に対して回転することもでき、かつ、上記第一スライド(4)に組み込まれたガイド手段(7)を内部に有する湾曲した空間(8)を備えていることを特徴とする開閉機構(1)。
【請求項２】
上記第二スライド(5)が取り出し位置にあるとき、上記ドア(2)は、上記長手方向ガイド(3)および隣接ドア(2')に対して平行であることを特徴とする請求項１に記載の開閉機構(1)。
【請求項３】
上記開閉機構(1)の上記第一スライド(4)は、上記ドア(2)が閉じているときに、上記開閉機構(1)により占められる位置において上記長手方向ガイド(3)の底部に位置するコントロール表面(51)によってコントロールされ、取り出し位置において上記第二スライド(5)を固定することができ、上記リターン手段により収納位置に戻ることを防止する保持手段(10)を、さらに有することを特徴とする請求項１に記載の開閉機構(1)。
【請求項４】
上記保持手段(10)は、上記第一スライド(4)の底部に対して回動するように取り付けられ、スプリングにより付勢されたレバー(101)と、上記第二スライド(5)に組み込まれた停止手段(61)とを有し、
上記レバー(101)の一端部(102)は、上記コントロール表面(51)上、および上記長手方向ガイド(3)の底部上をスライドし、
上記レバー(101)の他端部(103)は、上記第二スライド(5)が上記取り出し位置にあるとき、上記停止手段(61)に係合するものであることを特徴とする請求項３に記載の開閉機構(1)。
【請求項５】
上記コントロール表面(51)は、上記長手方向ガイド(3)の底部に対して盛り上がり、傾斜領域(52)によって上記底部につながる平面領域(54)を含むことを特徴とする請求項３に記載の開閉機構(1)。
【請求項６】
上記コントロール表面(51)は、上記長手方向ガイド(3)の底部に対して盛り上がり、傾斜領域(52)によって上記底部につながる平面領域(54)を含み、
上記ドア(2)を開いたとき、上記レバー(101)の一端部(102)が長手方向ガイド(3)の底部上に支持され、および上記スプリングによって付勢される上記レバー(101)の他端部(103)が、上記停止手段(61)に係合し、
上記ドア(2)を閉じたとき、上記レバー(101)の一端部(102)が、上記盛り上げられた平面領域(54)上において支持されて、上記レバー(101)の他端部(103)が下方に移動し、上記停止手段(61)との係合が解除されることを特徴とする請求項４に記載の開閉機構(1)。
【請求項７】
上記ドア(2)の正中線に対して偏ったオフセンター位置に、上記ドア(2)に対して取り付けられていることを特徴とする請求項１ないし６の何れか１項に記載の開閉機構(1)。
【請求項８】
開閉動作の間において、上記ドア(2)のためのヒンジとして機能することを特徴とする、請求項７に記載の開閉機構(1)。
【発明の詳細な説明】
【技術分野】
【０００１】
本発明は、いわゆる、各コプラナードア（面一な各ドア）を有する、複合動作を備えた建具部品（furniture）の分野に関する。
【背景技術】
【０００２】
上記分野において、上記各ドアを開くことは、互いに他方のドアの上方をスライドすることにより行われる。特に、上記建具部品（より一般的には、各ドアにより閉じられる、空間または開口部への建具部品）では、外観上の理由により、閉じられた各ドアは、観察者に対してできる限り最も連続的な表面を提供するように、互いに沿った面一の位置にて閉じられる。
【０００３】
それゆえ、上記各ドアの一つのドアを開くためには、実質的に、上記開くドアを、それに隣接したドア（または、それに隣接する複数の各ドアの一つ）との結合を解除し、上記開くドアを、上記開くドアの表面に対し直行する方向に移動させ、続いて、上記開くドアを、上記隣接ドアの上（または、上記各隣接ドアの１つの上）を上記隣接ドアと平行にスライドさせる必要がある。
【０００４】
上記二方向への各移動のような動作となりうる開閉機構は、先行技術として公知であり、かつ広く使われている。上記のような開閉機構の一つが、特許文献１に、単に非制限的な実施例により開示されている。
【先行技術文献】
【特許文献】
【０００５】
【特許文献１】欧州特許第８２３５２７号公報
【発明の概要】
【発明が解決しようとする課題】
【０００６】
先行技術の上記開閉機構は、基本的に、建具部品ユニットのフレームに固定された長手方向ガイド（通常は延伸部分）を含んでいる。そして、先行技術の上記開閉機構は、それぞれのドアのために、上記ガイドに沿ってスライドする第一スライドと、待機（収納）位置から動作（取り出し）位置への、第一スライドに対して横断した方向にスライドする第二スライドと、上記第二スライドを、待機位置から動作位置へ（かつ、逆の動作でも）移動させる（通常、上記長手方向スライドの底部に固定された、９０°曲げられたガイドを含む）変更手段と、上記第二スライドを待機位置に戻すように移動させるためのリターン手段とを含む。
【０００７】
上記第二スライドは、上記ドアを移動させる。上記第二スライドは、変更手段内に係合する付加物によって、上記動作位置に移動される。上記第二スライドは、上記ガイド内に形成された長手方向トラック内に係合する上記付加物によって、動作位置が維持される。上記第二スライドは、取り出し位置にあるとき、上記第一スライドと共に長手方向ガイドに沿って移動する。
【０００８】
変更手段を上記長手方向ガイドに取り付けるために、上記トラックの部分を除去する必要があり、その除去のために、上記開閉機構の製造時間およびコストを増加させる機械的工程が必要である。
【０００９】
その上、上記先行技術の開閉機構は、開閉機構の長さをドアの長さに対応させる必要があり、よって、互いに異なった長さの各ドアの開閉を処理するための異なった長さの開閉機構を生産する（およびストックする）必要があり、製品コスト、在庫管理コストの明白な増加をともなうという、さらなる欠点を有してい。
【００１０】
本発明の目的は、上記先行技術の開閉機構において存在していた限界および欠点が解消された、各コプラナードアのための、複合動作を備えた開閉機構を製造することである。この目的は、独立請求項１にて設定された特徴を有する上記開閉機構により達成される。
【００１１】
さらに、本発明の有利な各特徴は、各従属請求項の主題を形成している。
【課題を解決するための手段】
【００１２】
本発明によって実現した開閉機構は、上記第二スライドが、上記第一スライドに組み込まれたピンの周りを上記第一スライドに対して回転することができるという点、および、第一スライドに組み込まれたガイド手段を内部に有する湾曲した空間（以下では、「カム」と称す）が存在するという点において、上記先行技術の開閉機構と本質的に異なっている。
【００１３】
さらに好ましくは、上記開閉機構は、さらに保持手段を含む。上記保持手段は、上記開閉機構がスライドする方向に沿った上記ガイドの底部に配置されているコントロール表面によってコントロールされ、取り出し位置にて上記第二スライドをロックして、上記開閉機構に属するリターン手段によって上記第二スライドが収納位置に戻る動きを防止している。
【００１４】
本発明は、本明細書において、添付された各図面にて開示された各実施例、ただし、非制限的な実施例を参照して説明されるであろう。
【図面の簡単な説明】
【００１５】
【図１】閉じた位置（図１）から開いた位置（図４）へと進む上記ドアの開閉機構の四つの各上面図の一つを示す。
【図１Ａ】図１における上記開閉機構の上記第二スライドの拡大図を示し、上記第スライドの上記ガイド手段の、上記第二スライドのカムの位置を示す。
【図２】閉じた位置（図１）から開いた位置（図４）へと進む上記ドアの開閉機構の四つの各上面図の次の一つを示す。
【図２Ａ】図２における上記開閉機構の上記第二スライドの拡大図を示し、上記第スライドの上記ガイド手段の、上記第二スライドのカムの位置を示す。
【図３】閉じた位置（図１）から開いた位置（図４）へと進む上記ドアの開閉機構の四つの各上面図の次の一つを示す。
【図３Ａ】図３における上記開閉機構の上記第二スライドの拡大図を示し、上記第スライドの上記ガイド手段の、上記第二スライドのカムの位置を示す。
【図４】閉じた位置（図１）から開いた位置（図４）へと進む上記ドアの開閉機構の四つの各上面図の最後の一つを示す。
【図４Ａ】図４における上記開閉機構の上記第二スライドの拡大図を示し、上記第スライドの上記ガイド手段の、上記第二スライドのカムの位置を示す。
【図５】開閉機構の底部側の斜視図に示す。
【図６】上記第一スライドによって運ばれた上記保持手段に従う上記第二スライドを有する、本発明の機構の正面図を示す。
【図７】上記保持手段により開放された、上記第二スライドを有する図６の機構の正面図を示す。
【図８】本発明によって実現された二つの開放装置によって運ばれたドアの上面図を示す。
【発明を実施するための形態】
【００１６】
上記添付された各図では、類似の構成は、同一の参照数字によって示されるであろう。
【００１７】
図１〜図４は、閉じた位置（図１）から開いた位置（図４）へ進む上記ドア２における開閉機構１の四つの各上面図を図式的に示している。これらの各図において、上記ドア２は、上記隣接ドアから開放され、かつ、上記開閉機構１は、上記長手方向ガイド３に沿って移動することができる。
【００１８】
図１Ａ〜図４Ａは、図１〜図４の各々における上記開閉機構１の上記第二スライド５の拡大図を示し、かつ、上記第一スライド４に組み込まれた上記ガイド手段７の、上記第二スライド５のカム８の位置を示す。図１〜図４では、上記カム８の位置は、上記第二スライド５によって覆われていて見ることができないものである。
【００１９】
図１は、上記閉じた位置における上記ドア２を、上記隣接ドア２’と整列されて（つまり、面一に位置合わせされて）示している。図１Ａからよく分かるように、上記第二スライド５は、上記第一スライド４の上方に位置している。上記ガイド手段７は、上記第二スライド５内に形成された上記カム８の一方の端部にある。
【００２０】
図１では、表面５１も示されている。表面５１は、上記ドア２が閉じられたとき、上記開閉機構１によって占められた位置での上記長手方向ガイドの底部に配置されている。上記表面５１は、図５〜図７にて示されるように、保持手段１０をコントロールするものである。
【００２１】
上記先行技術の開閉機構のように、上記長手方向ガイド３の底部において変更手段４０（図４および図８）が存在している。上記第二スライド５の建具部品５３は、収納（引っ込み）位置から取り出し位置へ、その逆もまた同様に、移動させるために上記変更手段４０内に対し係合する。
【００２２】
図１ないし図４および図８から理解されるように、上記先行技術の開閉装置の上記長手方向ガイド内において存在する上記トラックが、上記長手方向ガイド３の内側には存在していないので、上記変更手段４０、および、上記保持手段１０をコントロールする表面５１を、上記長手方向ガイド３の底部に取り付けることが、各機械的工程を実行する必要なしにより可能になる。
【００２３】
図２は、上記ドア２の開く動作の第一段階を示している。上記第一段階において、上記変更手段４０に係合する建具部品５３は、上記第一スライド４に対して上記第二スライド５の移動をひきおこす。上記移動と同時に、図２Ａから、より良く理解されるように、上記変更手段４０に係合する建具部品５３は、上記カムの一方の端部から離れた上記ガイド手段７の上記カム８内での移動によって、ピン１１の周りを回転することがひきおこされる。
【００２４】
図３は、上記ドア２を開く動作の次段階を示している。上記次段階では、上記第二スライド５は、変更手段４０に係合した建具部品５３によって、上記第一スライド４に対してさらに移動されている。そして、上記第二スライド５は、上記カム８内における上記ガイド手段７の更なる移動によって、上記ピン１１を中心として回転している。
【００２５】
上記建具部品５３および上記変更手段４０が、上記開閉機構１によって覆われているために、上記建具部品５３および上記変更手段４０は、図２および図３においては見られない。
【００２６】
図４は、上記隣接ドア２’との結合が解除される完全な解除位置における上記ドア２を示している。上記第二スライド５が、上記取り出し位置に到達したとき、上記ドア２は、上記長手方向ガイド３、および上記隣接ドア２’に対し平行となっており、上記開閉機構１は、長手方向ガイド３に沿って移動することが可能となる。
【００２７】
本明細書の記載をより明確にするために、図４において、上記ドア２が、上記閉じた位置から上記解除位置およびその逆もまた同様に進行するとき、部材番号１００は、上記隣接ドア２’に隣接した上記ドア２の内側端部の進路を示している。
【００２８】
図４Ａから、上記ガイド手段７は、上記ドア２が上記閉じた位置に存在しているときの、上記ガイド手段７が位置している上記カム８の端部（図１）とは、上記カム８における反対側の端部に位置していることがより理解される。
【００２９】
その上、添付された各図では、上記開閉機構１は、上記先行技術の開閉機構において通常生じるようなドアの中心に取り付けられるというよりも、上記ドアの正中線に対して偏ったオフセンター位置の上記ドア２に取り付けられている。
【００３０】
上記開閉機構１のオフセンター位置への取り付け位置は、他のドアの上方に上記ドアの一つをさらに積み重ねることを許容し、および、長手方向ガイド３に対して平行に戻る前において、上記ドア２が、上記開閉機構１の周りを回転する動作によって隣接ドア２との結合が解除されるとき、上記開閉機構１のオフセンター位置は、上記開閉機構１に対して、開く段階（または閉じる段階）の間に上記ドア２のためのヒンジのように作動することを可能とする（図４）。
【００３１】
図５は、開閉機構１の底部の斜視図を図式的に示している。図５では、第一スライド４に組み込まれたガイド手段７、上記第二スライド５内に形成された上記カム８、および上記ドア２を開くとき、上記第二スライド５を上記取り出し位置に保持する上記手段１０が理解され得る。
【００３２】
図６および図７からより理解され得るように、上記保持手段１０は、上記第一スライド４の底部に回動するように取り付けられ、スプリング（ばね）（図５〜図７において省略された）によって付勢されたレバー１０１と、上記第二スライド５に組み込まれた停止手段６１とを含む。上記レバー１０１の一端部１０２は、上記コントロール表面５１上、および上記長手方向ガイド３の底部上をスライドする。一方、上記第二スライド５が上記取り出し位置に達すると、上記レバー１０１の他端部１０３が、上記停止手段６１に係合可能になる（図６）。
【００３３】
上記レバー１０１の上記他端部１０３は、上記レバー１０１の一端部１０２に対するコントロール表面５１に動作によって、上記第二スライド５が上記停止手段６１との係合から解除されるまで、上記取り出し位置で上記第二スライド５を保持する（図７）。
【００３４】
図６は、上記開閉機構１の正面図を図式的に示している。図６では、上記第二スライド５の停止手段６１は、保持手段１０に係合される。保持手段１０は、上記第一スライド４によって搬送され、かつ、コントロール表面５１によってコントロールされている。コントロール表面５１は、傾斜領域５２によって長手方向ガイド３の底部につながり、上記長手方向ガイド３の底部に対して盛り上がった平面領域５４を含む。
【００３５】
図７は、上記保持手段１０によって解除された上記第二スライド５を有する図６の機構を図式的に示している。
【００３６】
上記ドア２が開くとき、上記レバー１０１の一端部１０２は、長手方向ガイド３の底部に支持され、およびスプリングによって付勢された上記レバー１０１の他端部１０３は、上記停止手段６１に係合する（図６）。上記ドア２が閉じるとき、上記レバー１０１の一端部１０２は、上記盛り上がった平面領域５４上にて支持されることにより、上記レバー１０１の他端部１０３を、下方に移動し、停止手段６１との係合から解除する（図７）。
【００３７】
図６は、上記レバー１０１の一端部１０２が傾斜領域５２において支持されるとき、および上記レバー１０１の他端部１０３が上記停止手段６１に係合／係合から解除されるときの、上記ドア２を開く動作の終点での、または、上記ドア２を閉じる動作の始点での、上記機構１を示している。
【００３８】
本発明の権利範囲内にて、上記保持手段１０および上記コントロール表面５１を省略することができる。しかしながら、上記保持手段１０および上記コントロール表面５１は、取り出し位置において上記第二スライドを保持するための、上記先行技術の開閉装置の長手方向ガイドにおいて存在している上記トラックによって置き換えられる必要がある。
【００３９】
図８は、二つの各開閉装置（１．１’）によって運ばれるドア２の上面図を図式的に示している。図８では、二つの各コントロール表面（５１．５１’）を視認することができ、それらは、各々、開閉装置（１．１’）の一つの保持手段をコントロールしている。
【００４０】
ドアが、その端部に配置されている単一の装置１によって移動されるには長すぎるとき、上記第二の開閉機構１’の使用は、異なった長さの開閉機構を生産し、ストックする必要性を回避できることから、有利である。さらに、上記第二の開閉機構１’は、上記ドア２の重さによる上記開閉機構１に対し生じる応力（ストレス）を低減し、上記ドア２の移動をより安定化する。
【００４１】
本発明の権利範囲内にて、上記第二の開閉機構１’は、上記保持手段１０を含むが、上記カム８および上記カム８に関連するガイド手段７を含まない。
【図１】
0005586609.tif 000002
【図１Ａ】
0005586609.tif 000003
【図２】
0005586609.tif 000004
【図２Ａ】
0005586609.tif 000005
【図３】
0005586609.tif 000006
【図３Ａ】
0005586609.tif 000007
【図４】
0005586609.tif 000008
【図４Ａ】
0005586609.tif 000009
【図５】
0005586609.tif 000010
【図６】
0005586609.tif 000011
【図７】
0005586609.tif 000012
【図８】
0005586609.tif 000013